(57)【要約】【課題】取付状態を確実に維持でき、取り付けおよび取り外しに係る作業性も向上できるボトルコンテナ用カバーを提供する。【解決手段】蓋５により密閉した複数のボトル４を収容するボトルコンテナ１の内法に略対応する矩形状のシート１１からなり、ボトル４に対応する複数の貫通孔１２を設け、これら貫通孔１２のうち少なくとも１つの貫通孔１２ｂに、ボトル４における蓋５の下端縁に係止するロック部１３を内向きに突出するように設けた構成する。【選択図】図１
2005075368.tif 000002
【特許請求の範囲】
【請求項１】
蓋により密閉した複数のボトルを収容するボトルコンテナの内法に略対応する矩形状のシートからなり、前記ボトルに対応する複数の貫通孔を設け、これら貫通孔のうち少なくとも１つの貫通孔に、前記ボトルにおける蓋の下端縁に係止するロック部を内向きに突出するように設けたことを特徴とするボトルコンテナ用カバー。
【請求項２】
前記ロック部を、隣接する２以上の貫通孔にかけて延びるように設け、２以上のボトルの蓋の下端縁に係止させるようにしたことを特徴とする請求項１に記載のボトルコンテナ用カバー。
【請求項３】
前記ボトルコンテナは、その周壁に貫通した把持用開口部を備えており、前記シートの各辺に、前記把持用開口部の少なくとも一部を遮蔽するフラップを設けたことを特徴とする請求項１または請求項２に記載のボトルコンテナ用カバー。
【発明の詳細な説明】
【技術分野】
【０００１】
本発明は、清涼飲料、ジュース、ビール、清酒等のボトルの複数本をまとめて搬送する合成樹脂製のボトルコンテナ（プラコン）に使用するボトルコンテナ用カバーに関するものである。
【背景技術】
【０００２】
従来、清涼飲料、ジュース、ビール、清酒等のボトルを搬送および配達する場合、ボトルコンテナ単位で行われことがある。また、ボトルコンテナに収容したボトルは、この状態で積み重ねられて保管される。しかし、特に、最上段に位置するボトルコンテナのボトルは、露出したままの状態で保管されるため、中身の飲料が光の照射により変質するという問題があった。また、埃などがボトルに付着し、外観が悪くなるという問題があった。
【０００３】
このような問題を防止でき、本発明に関連する先行技術文献情報としては次のものがある。
【０００４】
【特許文献１】実開昭６２−９９５２７号公報
【０００５】
この特許文献１に記載のカバーは、ボトルコンテナの内法と同一形状の板材に、ボトルに対応する複数の通孔が設けられている。そして、前記板材の各辺には、ボトルコンテナの周壁に設けた把持用開口部を貫通させる突片部が設けられ、この突片部の先端にはケースに嵌め込む嵌合部材が配設された構成としている。
【発明の開示】
【発明が解決しようとする課題】
【０００６】
しかしながら、前記ボトルコンテナ用カバーは、ボトルコンテナに対して突片部を撓ませながら取り付けおよび取り外しを行う必要があるため、着脱作業性が非常に悪いという問題がある。
【０００７】
そこで、本発明では、取付状態を確実に維持でき、取り付けおよび取り外しに係る作業性も向上できるボトルコンテナ用カバーを提供することを課題とするものである。
【課題を解決するための手段】
【０００８】
前記課題を解決するため、本発明のボトルコンテナ用カバーは、蓋により密閉した複数のボトルを収容するボトルコンテナの内法に略対応する矩形状のシートからなり、前記ボトルに対応する複数の貫通孔を設け、これら貫通孔のうち少なくとも１つの貫通孔に、前記ボトルにおける蓋の下端縁に係止するロック部を内向きに突出するように設けた構成としている。
【０００９】
このボトルコンテナ用カバーでは、前記ロック部を、隣接する２以上の貫通孔にかけて延びるように設け、２以上のボトルの蓋の下端縁に係止させることが好ましい。
【００１０】
また、前記ボトルコンテナは、その周壁に貫通した把持用開口部を備えており、前記シートの各辺に、前記把持用開口部の少なくとも一部を遮蔽するフラップを設けることが好ましい。
【発明の効果】
【００１１】
本発明のボトルコンテナ用カバーでは、ボトルコンテナに上側から差し込むと、前記ロック部が対応するボトルが当接し、この状態で作業者が下向きに押圧する。これにより、ロック部が上向きに折り曲げられ、その貫通孔を含む全ての貫通孔にボトルの上部が貫通され、ロック部がボトルの蓋の下端縁を越えると、ロック部が蓋の下端縁の下部に倒れ込んで係止し、取付作業が完了する。一方、カバーをボトルコンテナから取り外す場合には、ボトルの蓋に係止したロック部を撓ませて係止を解除した状態で、上向きに持ち上げることにより取り外すことができる。そのため、ボトルコンテナに対する取り付けおよび取り外しに係る作業性を大幅に向上できる。
【００１２】
また、この取付状態では、ボトルの蓋に対するロック部の係止により、その取付状態を確実に維持することができる。また、ボトルにおける飲料を収容した下部領域を完全に覆い隠すことができるため、ボトルに収容された飲料が上方からの光の照射により変質することを確実に防止できる。また、埃などがボトルに付着し、外観が悪くなることを防止できるうえ、寒気が強い地域では寒冷対策に係る効果をも得ることができる。
【００１３】
さらに、ロック部を隣接する２以上の貫通孔にかけて延びるように設けると、ロック部におけるボトル間に位置する部位を把持することにより、容易に係止を解除することができるため、取外作業性の向上を図ることができる。
【００１４】
さらにまた、シートの各辺に、ボトルコンテナの把持用開口部の少なくとも一部を遮蔽するフラップを設けると、前記把持用開口部を覆い隠すことができるため、側方からの光の照射による飲料の変質、および、埃などの付着を防止できるうえ、寒冷対策にも大幅な効果を得ることができる。
【発明を実施するための最良の形態】
【００１５】
以下、本発明の実施の形態を図面に従って説明する。
図１から図４は、本願発明の第１実施形態に係るボトルコンテナ用カバー１０を示す。ここで、カバー１０を取り付けるボトルコンテナ１は、４行×５列の配列で飲料を収容したボトル４を収容可能な略直方体形状をなす樹脂製のもので、その４つの周壁の上部には把持用開口部２が設けられている。また、このボトルコンテナ１の内部には、図２に示すように、各ボトル４を区画して収容するための仕切壁３が設けられている。この仕切壁３は、この種のボトルコンテナ１を製造するメーカによっては全高が異なるものがある。
【００１６】
前記カバー１０は、図４に示すように、ボトルコンテナ１の内法に対応する矩形状をなす段ボール紙製の本体シート１１を備えている。この本体シート１１には、前記ボトルコンテナ１に収容されるボトル４に対応する複数の貫通孔１２が設けられている。これら貫通孔１２のうち、４隅に位置する貫通孔１２ａの直径Ｒ１は、他の貫通孔１２の直径Ｒ２より小さく形成されており、その寸法は、ボトル４の内部に収容された飲料の液面に位置するボトル４の首部分の外径と略同一に形成されている。言い換えれば、４隅に位置する貫通孔１２ａを除く、他の貫通孔１２は、その直径Ｒ２を直径Ｒ１より若干大きく形成している。これは、ボトルコンテナ１の各収容部には、ボトル４が所定の遊びを有するように収容されるため、その収容状態でのボトル４の位置のバラツキにより、カバー１０の取付作業性が悪くなるのを防止するためである。
【００１７】
また、複数の貫通孔１２のうち、長い距離をもって略対角に位置する２行１列目（左端部）に位置する貫通孔１２ｂ、および、３行５列目（右端部）に位置する貫通孔１２ｃには、ボトル４における蓋５の下端縁に係止するロック部１３が内向きに突出するように設けられている。本実施形態では、このロック部１３は、略Ｕ字形状の第１切断線１４を設けることにより、一端を連続させた切り起こしにより構成している。このロック部１３における連続部分には、その中央に位置するように内向きに突出する略コ字形状の第２切断線１５が設けられている。また、この第２切断線１５の両端と第１切断線１４の両端間には、破線で示すように段ボール紙に罫を入れて形成した折曲線１６が設けられている。なお、前記第１切断線１４の端部から頂部までの寸法Ｓ１は、大きい貫通孔１２の直径Ｒ２より大きく設定されている。また、第２切断線１５と第１切断線１４の頂部間の寸法Ｓ２は、大きい貫通孔１２の直径Ｒ２と同一に設定されている。
【００１８】
さらに、本実施形態のカバー１０には、前記本体シート１１の各辺に、前記ボトルコンテナ１の把持用開口部２の一部（下部）を遮蔽するフラップ１７が設けられている。このフラップ１７と本体シート１１との境界部分において、２，３列目に対応する位置、および、２，３，４行目に対応する位置には、内向き（本体シート１１の方向）に突出する略コ字形状の第３切断線１８が設けられている。また、隣接する第３切断線１８の間、および、第３切断線１８と各フラップ１７の両端との間には、罫を入れて形成した折曲線と、該折曲線に沿って所定間隔をもって形成した切断線とからなるリード罫１９が設けられている。
【００１９】
前記フラップ１７には、ボトルコンテナ１の仕切壁３に対応する位置に、その端縁から本体シート１１に向けて延びるスリット２０が設けられている。このスリット２０は、端縁に向けて広がる略台形状をなし、その長さは、種々のボトルコンテナ１のうち、仕切壁３の全高が最も高いものに適用可能な寸法に設定されている。
【００２０】
前記構成のカバー１０をボトル４を収容したボトルコンテナ１に配置する場合、図３に示すように、カバー１０の各フラップ１７を第３切断線１８およびリード罫１９に沿って下向きに折り曲げ、この状態で、ボトルコンテナ１に上側から差し込むだけで、簡単に取り付けることができる。
【００２１】
具体的には、カバー１０をボトルコンテナ１に差し込むと、閉塞された状態の貫通孔１２ｂ、１２ｃのロック部１３に対応するボトル４が当接する。この状態で、作業者が下向きに押圧すると、切り起こしにより構成したロック部１３が折曲線１６に沿って上向きに折り曲げられ、その貫通孔１２ｂ，１２ｃを含む全ての貫通孔１２にボトル４の上部が貫通される。
【００２２】
そして、切り起こされたロック部１３がボトル４の蓋５の下端縁を越えると、図１および図２に示すように、段ボール紙自身が備えた弾性により、ロック部１３が蓋５の下端縁の下部に倒れ込んで係止し、取付作業が完了する。
【００２３】
この取付状態では、本体シート１１によりボトル４における飲料を収容した下部領域を完全に覆い隠すことができる。また、各フラップ１７によりボトルコンテナ１における側壁の把持用開口部２の下部を覆い隠すことができる。
【００２４】
そのため、ボトル４に収容された飲料が上方および側方からの光の照射により変質することを確実に防止できる。また、埃などがボトル４に付着し、外観が悪くなることを防止できるうえ、寒気が強い地域では寒冷対策にも大幅な効果を得ることができる。
【００２５】
なお、この取付状態において、屋外にボトルコンテナ１を保管している場合には、風がスリット２０を通して内部に流入し、本体シート１１を浮き上げるように作用することがある。しかし、本実施形態のカバー１０では、前述のように、長い距離をもって略対角に位置する貫通孔１２ｂ，１２ｃに設けたロック部１３がボトル４の蓋５の下端縁に係止しているため、風の影響により離脱することはない。
【００２６】
一方、前記カバー１０をボトルコンテナ１から取り外す場合には、ボトル４の蓋５に係止したロック部１３を外向きに撓ませて係止を解除する。この状態で、例えばロック部１３を把持したまま上向きに持ち上げることにより、簡単にカバー１０を取り外すことができる。
【００２７】
図５から図７は第２実施形態のボトルコンテナ用カバー１０を示す。このカバー１０は、ロック部２５の構成を変更した点で第１実施形態と大きく相違している。
【００２８】
具体的には、第２実施形態のカバー１０は、図７に示すように、ボトルコンテナ１の内法に対応する矩形状をなす段ボール紙製の本体シート１１を備え、本体シート１１に、第１実施形態と同様の複数の貫通孔１２が設けられている。
【００２９】
複数の貫通孔１２のうち、隣接する２個の貫通孔１２にかけて延びるように、貫通孔１２内に突出する一対のロック部２５が設けられている。本実施形態では、一方のロック部２５は、１行４列目の貫通孔１２ｂ−１から斜め方向に隣接する２行５列目の貫通孔１２ｂ−２にかけて長方形状に延びるように設けられている。また、他方のロック部２５は、３行１列目の貫通孔１２ｃ−１から斜め方向に隣接する４行２列目の貫通孔１２ｃ−２にかけて長方形状に延びるように設けられている。即ち、本実施形態では、本体シート１１において、対角線に対して交差するように隣接する貫通孔１２ｂ−１，１２ｂ−２、および、貫通孔１２ｃ−１，１２ｃ−２にかけてそれぞれロック部２５が設けられている。
【００３０】
第２実施形態のロック部２５は、貫通孔１２ｂ−１，１２ｂ−２、および、貫通孔１２ｃ−１，１２ｃ−２において、本体シート１１の中心側の接線位置から貫通孔の略中央にかけて突出する切り起こしにより構成されている。具体的には、隣接する貫通孔１２ｂ−１，１２ｂ−２、および、貫通孔１２ｃ−１，１２ｃ−２の中心間の中央に、両貫通孔にかけて延びる第１切断線２６が設けられている。この第１切断線２６の中央には、本体シートの隅に向けて突出する円弧状突部２７が設けられている。また、前記接線位置において、その中央には、ロック部２５の突出方向に延びる円弧状切断線２８が設けられている。この円弧状切断線２８の両側には、ロック部２５から突出するように略コ字形状をなす第２切断線２９が設けられている。また、前記円弧状切断線２８と第２切断線２９との間、および、第２切断線２９の両端と貫通孔１２ｂ−１，１２ｂ−２，１２ｃ−１，１２ｃ−２の端部間との間には、破線で示すように折曲線３０が設けられている。なお、本実施形態では、貫通孔１２ｂ−１，１２ｃ−２内に突出するロック部２５の一方縁は、これら貫通孔の縁まで延び、貫通孔１２ｂ−２，１２ｃ−１内に突出するロック部２５の他方縁は、これら貫通孔の縁から所定間隔をもって位置するように構成されている。
【００３１】
また、第２実施形態のカバー１０には、第１実施形態と同様に、本体シート１１の各辺にフラップ１７が設けられている。そして、２，３列目および２，３，４行目に対応する位置に略コ字形状の第３切断線１８が設けられるとともに、隣接する第３切断線１８の間および第３切断線１８と各フラップ１７の両端との間にリード罫１９が設けられている。また、前記フラップ１７には、それぞれ一対のスリット２０が設けられている。
【００３２】
この第２実施形態のカバー１０をボトル４を収容したボトルコンテナ１に配置する場合、図６に示すように、カバー１０の各フラップ１７を下向きに折り曲げた状態で、ボトルコンテナ１に上側から差し込むだけで、簡単に取り付けることができる。
【００３３】
具体的には、カバー１０をボトルコンテナ１に差し込むと、ロック部２５に対応するボトル４が当接する。この状態で、作業者が下向きに押圧すると、切り起こしにより構成したロック部２５が折曲線３０に沿って上向きに折り曲げられ、その貫通孔１２ｂ−１，１２ｂ−２，１２ｃ−１，１２ｃ−２を含む全ての貫通孔１２にボトル４の上部が貫通される。
【００３４】
そして、切り起こされたロック部２５がボトル４の蓋５の下端縁を越えると、図５に示すように、段ボール紙自身が備えた弾性により、ロック部２５が蓋５の下端縁の下部に倒れ込んで係止し、取付作業が完了する。
【００３５】
この取付状態では、第１実施形態と同様に、本体シート１１によりボトル４における飲料を収容した下部領域を完全に覆い隠すことができる。また、各フラップ１７によりボトルコンテナ１における側壁の把持用開口部２の下部を覆い隠すことができる。そのため、ボトル４に収容された飲料が光の照射により変質することを確実に防止できる。また、埃などがボトル４に付着し、外観が悪くなることを防止できるうえ、寒気が強い地域では寒冷対策にも大幅な効果を得ることができる。
【００３６】
また、この取付状態において、屋外にボトルコンテナ１を保管している場合には、風で本体シート１１を浮き上げるように作用することがあるが、本実施形態では一対のロック部２５が、隣接するボトル４の蓋５の下端縁にかけて係止するため、その係止状態を確実に維持でき、離脱することはない。言い換えれば、この第２実施形態では、１つのロック部２５が複数のボトル４の蓋にかけて係止するため、その係止力を第１実施形態より高めることができ、その係止状態を確実に維持することができる。
【００３７】
一方、前記カバー１０をボトルコンテナ１から取り外す場合には、ロック部２５におけるボトル間に位置する円弧状突部２７を把持し、本体シート１１の中央である内向きに撓ませることにより、蓋５に対するロック部２５の係止を容易に解除することができる。そして、この状態で、第１実施形態と同様に、ロック部２５を把持したまま上向きに持ち上げることにより、簡単にカバー１０を取り外すことができる。この際、本実施形態では、寸法が大きいボトルコンテナ１の対角線方向を更に外向きに広げるように操作するのではなく、前述のように、ロック部２５を内向きに撓ませることにより蓋５への係止を解除できるように構成しているため、取外作業性は非常によい。
【００３８】
なお、本発明のボトルコンテナ用カバー１０は、前記実施形態の構成に限定されるものではなく、種々の変更が可能である。
【００３９】
例えば、前記第１実施形態では、貫通孔１２ｂ，１２ｃおよびロック部１３を切り起こしにより構成したが、円形状の貫通孔１２ｂ，１２ｃから舌片状のロック部１３を突設した構成としてもよい。
【００４０】
また、ロック部１３は、長い距離をもって略対角に位置する２行１列目に位置する貫通孔１２ｂ、および、３行５列目に位置する貫通孔１２ｃに設けたが、対角に位置するように隅に設けてもよく、その位置は希望に応じて変更可能である。
【００４１】
さらに、第２実施形態では、本体シート１１において、対角線に対して交差するように隣接する貫通孔１２ｂ−１，１２ｂ−２、および、貫通孔１２ｃ−１，１２ｃ−２にかけてそれぞれロック部２５を設けたが、行方向（図７中横方向）および列方向（図７中縦方向）に隣接する貫通孔１２に設けてもよい。しかも、３以上の貫通孔１２にかけて延びるように形成してもよい。
【００４２】
しかも、第１，第２実施形態において、ロック部１３，２５を形成する数は、２箇所に限られず３箇所以上設けてもよいうえ、１箇所のみとしてもよい。即ち、このロック部１３の数は、各地域によって異なる風量に基づいて希望に応じて変更することが好ましい。
【００４３】
さらに、ボトルコンテナ１に把持用開口部２が形成されていない場合には、前記フラップ１７は必ずしも設ける必要はない。
【００４４】
さらにまた、フラップ１７は、取付状態での下端が把持用開口部２の下端に位置する寸法とし、スリット２０を設けない構成としてもよい。
【００４５】
そして、フラップ１７のスリット２０は、ボトルコンテナ１の仕切壁３の肉厚より狭い幅とし、または、仕切壁３の肉厚より狭い部分が形成されるように突起を形成し、仕切壁３を挟持させる構成としてもよい。この場合には、前記ロック部１３は必ずしも形成する必要はない。
【図面の簡単な説明】
【００４６】
【図１】本発明の第１実施形態に係るカバーをボトルコンテナに取り付けた状態を示す斜視図である。
【図２】図１の要部断面図である。
【図３】カバーをボトルコンテナに取り付ける前状態を示す斜視図である。
【図４】カバーのブランクを示す平面図である。
【図５】第２実施形態に係るカバーをボトルコンテナに取り付けた状態を示す斜視図である。
【図６】第２実施形態のカバーをボトルコンテナに取り付ける前状態を示す斜視図である。
【図７】第２実施形態のカバーのブランクを示す平面図である。
【符号の説明】
【００４７】
１…ボトルコンテナ、２…把持用開口部、３…仕切壁、４…ボトル、５…蓋、１０…カバー、１１…本体シート、１２，１２ａ〜１２ｃ…貫通孔、１３，２５…ロック部、１７…フラップ、２０…スリット
【図１】
2005075368.tif 000003
【図２】
2005075368.tif 000004
【図３】
2005075368.tif 000005
【図４】
2005075368.tif 000006
【図５】
2005075368.tif 000007
【図６】
2005075368.tif 000008
【図７】
2005075368.tif 000009